(57)【特許請求の範囲】
【請求項１】
遊技機にて行われる遊技に関する信号を外部機器に出力するために、遊技機と外部機器の外部配線とを接続する外部ターミナルを有する遊技機において、
前記外部ターミナルは、
複数の外部配線がそれぞれ個別に挿通される複数の第１挿通部と、前記複数の外部配線をまとめる外部配線結束部材が挿通される第２挿通部とを有する筐体と、
前記遊技に関する信号を出力する外部端子板と、
前記複数の外部配線のそれぞれを前記外部端子板に電気的に接続するための複数の接続機構と、を備え、
前記接続機構は、
前記外部端子板に電気的に接続されると共に、一端に前記第１挿通部に挿通される外部配線と接触可能な第１端子と、他端に前記第２挿通部に挿通される外部配線と接触可能な第２端子とを有する接続プレートと、
前記筐体に揺動自在に支持され、前記接続プレートの前記第１端子又は前記第２端子と外部配線との接触を切り換えるための揺動部材と、を備え
前記揺動部材を前記接続プレートの付勢力に抗して押圧し揺動させることによって、前記接続プレートの前記第１端子は、前記第１挿通部に挿通される外部配線を前記揺動部材とによって挟持可能な状態となり、
前記揺動部材の前記接続プレートへの押圧が解除された状態では、前記接続プレートの前記第２端子は、前記第２挿通部に挿通される外部配線と接触可能となることを特徴とする遊技機。
【請求項２】
前記揺動部材は、
前記接続プレートに当接して押圧力を付与する押圧力付与部と、
揺動軸を中心に前記押圧力付与部と反対側に、かつ前記接続プレートの前記第１端子に対峙して配置され、前記第１挿通部を開閉可能な開閉部と、を備え、
前記接続プレートは、
前記押圧力付与部による押圧力を受けた際に、当該押圧力付与部に対して付勢力を付与する付勢部を備え、
前記押圧力付与部が前記付勢部に対して押圧力を付与した状態では、前記開閉部は、前記第１挿通部を開放し、当該第１挿通部に挿通される外部配線を前記付勢部の付勢力によって前記第１端子に対して付勢すると共に、前記第２端子は前記第２挿通部に臨まず、
前記押圧力付与部の前記付勢部に対する押圧力が解除された状態では、前記開閉部は前記第１挿通部を閉塞すると共に、前記第２端子は前記第２挿通部に臨むことを特徴とする請求項１に記載の遊技機。
【請求項３】
前記外部配線結束部材が前記第２挿通部に挿通された場合に、当該外部配線結束部材に固定された外部配線は、前記第２挿通部に臨む前記第２端子に接触することを特徴とする請求項２に記載の遊技機。
【請求項４】
前記外部ターミナルは、前記筐体の上部に突出部を有し、
前記突出部は、前記外部ターミナルの上方に位置し、遊技機に遊技球を補給する補給樋から飛び出した遊技球が前記接続機構に衝突することを防止することを特徴とする請求項１から請求項３のいずれか一つに記載の遊技機。
【発明の詳細な説明】
【技術分野】
【０００１】
本発明は、他の機器に遊技機を電気的に接続する外部端子を備える遊技機に関する。
【背景技術】
【０００２】
遊技機で行われる遊技に関する各種情報を遊技場内部管理装置（ホールコンピュータ）等の外部装置に出力するために、当該外部機器に電気的に接続される外部端子を備える遊技機が知られている。
【０００３】
特許文献１には、外部機器に電気的に接続される外部配線の端末部を外部端子の外部接続端子に挟みこんだ状態で保持する複数個のつまみが取り付けられた遊技機が記載されている。このつまみは、押圧操作されることによって外部配線の端末部を開放する。
【特許文献１】特許第2818139号公報
【発明の開示】
【発明が解決しようとする課題】
【０００４】
従来の外部端子では、外部配線を外部接続端子に接続するためには、複数個のつまみをそれぞれ押圧操作しながら、外部配線を外部端子の挿通部に挿通させなければならず、作業性が悪かった。
【０００５】
そこで、本発明は、外部端子を外部機器に接続する作業を効率よく行える遊技機を提供することを目的とする。
【課題を解決するための手段】
【０００６】
第１の発明は、遊技機にて行われる遊技に関する信号を外部機器に出力するために、遊技機と外部機器の外部配線とを接続する外部ターミナルを有する遊技機において、前記外部ターミナルは、複数の外部配線がそれぞれ個別に挿通される複数の第１挿通部と、前記複数の外部配線をまとめる外部配線結束部材が挿通される第２挿通部とを有する筐体と、前記遊技に関する信号を出力する外部端子板と、前記複数の外部配線のそれぞれを前記外部端子板に電気的に接続するための複数の接続機構と、を備え、前記接続機構は、前記外部端子板に電気的に接続されると共に、一端に前記第１挿通部に挿通される外部配線と接触可能な第１端子と、他端に前記第２挿通部に挿通される外部配線と接触可能な第２端子とを有する接続プレートと、前記筐体に揺動自在に支持され、前記接続プレートの前記第１端子又は前記第２端子と外部配線との接触を切り換えるための揺動部材と、を備え、前記揺動部材を前記接続プレートの付勢力に抗して押圧し揺動させることによって、前記接続プレートの前記第１端子は、前記第１挿通部に挿通される外部配線を前記揺動部材とによって挟持可能な状態となり、前記揺動部材の前記接続プレートへの押圧が解除された状態では、前記接続プレートの前記第２端子は、前記第２挿通部に挿通される外部配線と接触可能となることを特徴とする。
【０００７】
第２の発明は、前記揺動部材は、前記接続プレートに当接して押圧力を付与する押圧力付与部と、揺動軸を中心に前記押圧力付与部と反対側に、かつ前記接続プレートの前記第１端子に対峙して配置され、前記第１挿通部を開閉可能な開閉部と、を備え、前記接続プレートは、前記押圧力付与部による押圧力を受けた際に、当該押圧力付与部に対して付勢力を付与する付勢部を備え、前記押圧力付与部が前記付勢部に対して押圧力を付与した状態では、前記開閉部は、前記第１挿通部を開放し、当該第１挿通部に挿通される外部配線を前記付勢部の付勢力によって前記第１端子に対して付勢すると共に、前記第２端子は前記第２挿通部に臨まず、前記押圧力付与部の前記付勢部に対する押圧力が解除された状態では、前記開閉部は前記第１挿通部を閉塞すると共に、前記第２端子は前記第２挿通部に臨むことを特徴とする。
【０００８】
第３の発明は、前記外部配線結束部材が前記第２挿通部に挿通された場合に、当該外部配線結束部材に固定された外部配線は、前記第２挿通部に臨む前記第２端子に接触することを特徴とする。
【０００９】
第４の発明は、前記外部ターミナルは、前記筐体の上部に突出部を有し、前記突出部は、前記外部ターミナルの上方に位置し、遊技機に遊技球を補給する補給樋から飛び出した遊技球が前記接続機構に衝突することを防止することを特徴とする。
【発明の効果】
【００１０】
第１の発明によれば、揺動部材を接続プレートの付勢力に抗して押圧し揺動させることによって、接続プレートの第１端子は第１挿通部に挿通される外部配線と接触可能となり、また、揺動部材の接続プレートへの押圧が解除された状態では、接続プレートの第２端子は第２挿通部に挿通される外部配線と接触可能となる。このように、遊技機と外部機器との接続は、揺動部材によって、複数の外部配線をそれぞれ個別に接続する方法と、複数の外部配線をまとめて接続する方法とを選択的に切り換えることができる。そして、複数の外部配線をまとめて接続する方法の場合、一回の操作で遊技機と外部機器との接続を行うことができ、効率良く作業を行うことができる。
【００１１】
第２の発明によれば、第１挿通部に挿通される外部配線は、接続プレートの付勢力によって揺動部材の開閉部と第１端子との間に挟持され、揺動部材の付勢は第１端子が形成される接続プレートによって行われる。したがって、揺動部材を付勢する付勢部材を別途設ける必要がなく、部品点数が削減でき、製造コストを削減できる。
【００１２】
また、押圧力付与部が付勢部に対して押圧力を付与した状態、つまり、外部配線が第１端子に接続された状態では、第２端子は第２挿通部に臨まない。したがって、外部機器に対して出力される信号に第２端子を通じてノイズが含まれることが防止され、外部機器に対して正確なデータを提供することができる。
【００１３】
第３の発明によれば、外部配線結束部材を用いることにより、外部ターミナルの接続機構に外部配線を一括して接続することができる。
【００１４】
第４の発明によれば、突出部は、補給樋から飛び出した遊技球が接続機構に衝突することを防止するため、遊技機から出力される信号にノイズが含まれることが防止される。
【発明を実施するための最良の形態】
【００１５】
以下、図面を参照して、本発明の実施の形態について説明する。
【００１６】
まず、図１を参照して、本発明の実施の形態に係る遊技機（パチンコ機）１の裏面側について説明する。図１は遊技機１の背面図である。
【００１７】
遊技機１は、島設備に固定される機枠（外枠）６にヒンジを介して一側部が開閉回動自在に取り付けられる前面枠２を備え、前面枠２の略正方形状の開口部には、遊技領域を有する遊技盤（図示省略）が取り付けられる。
【００１８】
遊技機１の裏面側、具体的には、前面枠２の裏面側には、中央に略正方形状の開口部を有する枠状の裏機構盤３が取り付けられる。裏機構盤３の開口部には、遊技盤に配設された一般入賞装置（図示省略）の後部、特別入賞装置（図示省略）、及び遊技盤に形成された開口に前方から嵌装されるセンターケース（図示省略）の後部等が配置され、これらは、裏機構盤３の開口部に取り付けられるカバー４によって後方から覆われる。
【００１９】
なお、特別入賞装置に遊技球が入賞した場合、表示装置（図示省略）で複数（例えば、３個）の識別情報を変動表示させる変動表示ゲームが実行される。
【００２０】
裏機構盤３の上部には、遊技機１で行われた遊技に関する情報等を外部機器に出力するために、外部機器に電気的に接続される外部ターミナルユニット１０と、島設備に設けられた補給装置（図示省略）から補給された遊技球を貯留すると共に、貯留した遊技球を排出する球貯留ユニット１１とが配設される。
【００２１】
外部ターミナルユニット１０の上方には、補給装置からの遊技球を球貯留ユニット１１に導くための補給樋（図示省略）が配設される。
【００２２】
なお、外部機器は、例えば、遊技店に設置された複数の遊技機１の遊技に関する情報を集計して、集計した遊技機に関する情報を管理する遊技場内部管理装置（ホールコンピュータ）である。
【００２３】
裏機構盤３の側部（図１中右側）には、球貯留ユニット１１から排出された遊技球を、遊技機前面に配設された上皿及び下皿（図示省略）に払い出す球排出ユニット１２が配設される。
【００２４】
裏機構盤３の下部には、球排出ユニット１２を制御する排出制御装置１３が配設される。
【００２５】
球貯留ユニット１１は、遊技球を貯留可能な貯留タンク１４と、貯留タンク１４の下方に配置され、貯留タンク１４から供給される遊技球を球排出ユニット１２へと誘導する誘導樋１５とを備える。
【００２６】
球排出ユニット１２はカバー１６によって覆われ、カバー１６内には、所定の排出条件の成立に基づき所要数の遊技球を排出する排出装置２０が収装される。
【００２７】
次に、外部ターミナルユニット１０から外部機器に出力される遊技に関する各種信号について説明する。
【００２８】
遊技球が各入賞装置に入賞した場合には、遊技制御装置（図示省略）から排出制御装置１３に賞球信号が出力されるとともに、外部ターミナルユニット１０から外部機器に賞球信号が出力される。そして、排出装置２０は、入賞した入賞装置の種類に応じた賞球を上皿等に排出する。
【００２９】
変動表示ゲームの結果が特別遊技状態のときは、当該特別遊技状態中に特賞信号が外部ターミナルユニット１０から外部機器に出力される。
【００３０】
また、当該特別遊技状態が確変図柄による特別遊技のときは、当該特別遊技状態中、及び、その後発生する特定遊技状態（確率変動状態）中に、確変信号が外部ターミナルユニット１０から外部機器に出力される。
【００３１】
また、特図変動表示ゲームを開始すると、変動表示ゲームを開始する毎にスタート信号が外部ターミナルユニット１０から外部機器に出力される。
【００３２】
また、特別入賞装置へ遊技球が入賞する毎に始動入賞信号が外部ターミナルユニット１０から外部機器に出力される。
【００３３】
なお、これらの信号は、外部ターミナルユニット１０から、電圧出力形式又は接点出力形式で出力される。
【００３４】
図２は、球排出ユニット１２の斜視図である。
【００３５】
球排出ユニット１２は、賞球又は貸球として遊技球を排出する排出装置２０と、遊技球を遊技機１の外部へ案内する球抜装置２１と、排出装置２０の上流端と球抜装置２１の上流端とを連通し、遊技球の流下方向を切換可能な流下切換装置２２と、を有する。
【００３６】
排出装置２０から賞球又は貸球として排出された遊技球は、上皿又は下皿へ流下する。球抜装置２１から排出された遊技球は、遊技機１の外部、具体的には遊技機島設備内の球回収樋（図示しない）へ流下する。
【００３７】
球排出ユニット１２の上部に外部ターミナルユニット１０が配置される。
【００３８】
外部ターミナルユニット１０は、球排出ユニット１２の上部に設けられ、開口部を有する第１ケース２４と、第１ケース２４の開口部を閉塞するように第１ケース２４に取り付けられる第２ケース２６と、を有する。つまり、外部ターミナルユニット１０は、第１ケース２４と第２ケース２６とからなる筐体を有する。
【００３９】
第２ケース２６には、遊技に関する信号を出力する外部端子板１１６（図３〜図５参照）が取り付けられている。第２ケース２６が第１ケース２４に取り付けられた場合、外部端子板１１６は、第１ケース２４の開口部に位置する。
【００４０】
次に、外部ターミナルユニット１０について図３〜図６を用いて説明する。
【００４１】
図３は、外部ターミナルユニット１０の斜視図である。図４は、外部配線１１８が接続されていない状態における外部ターミナルユニット１０の縦断面図である。図５は、外部配線１１８が接続された状態における外部ターミナルユニット１０の縦断面図である。図６は、接続プレート１０４の斜視図である。
【００４２】
外部ターミナルユニット１０は、遊技に関する信号を出力する基板である外部端子板１１６と、複数の外部配線のぞれぞれを外部端子板１１６に電気的に接続する複数の接続機構１００とを有する。
【００４３】
複数の接続機構１００は、上段と下段とに分かれて、かつ横方向に並んで配設される。接続機構１００は、内壁１０５、側壁１０６及び１０７、並びに底壁１０８によって区画形成され、外部機器からの複数の外部配線１１８がそれぞれ個別に挿通される挿通部（第１挿通部）１０１と、挿通部１０１に挿通された外部配線１１８を外部端子板１１６に電気的に接続する接続プレート１０４と、側壁１０６及び１０７によって揺動自在に保持され、挿通部１０１に挿通された外部配線１１８を接続プレート１０４と挟持可能な揺動部材１０３と、を有する。
【００４４】
第２ケース２６の上側部２６Ａの下端と上段の接続機構１００の上端との間には隙間が形成され、第２ケース２６の下側部２６Ｂの上端との下段の接続機構１００の下端との間には隙間が形成される。これらの隙間は、複数の外部配線１１８をまとめたクリップ６００（図７参照）が挿通可能なクリップ挿通部（第２挿通部）１１９である。
【００４５】
まず、接続プレート１０４について図４〜図６を用いて説明する。
【００４６】
接続プレート１０４は、導電性の材料から形成され、断面Ｌ字の形状をした付勢部材１０２と、外部端子板１１６に電気的に接続される外部端子板接続部１１３と、を有する。
【００４７】
付勢部材１０２の一端は、挿通部１０１を挿通した外部配線１１８と接触することにより、外部配線１１８に電気的に接続される外部配線接続部（第１端子）１１２である。付勢部材１０２の他端は、接続機構１００の外側に延設され、クリップ挿通部１１９を挿通した外部配線１１８と接触可能な延長部（第２端子）１１４である。
【００４８】
付勢部材１０２のＬ字を形成する鉤部分は、内壁１０５との間に隙間が存在するように角度をつけて形成され、揺動部材１０３が挿通部１０１に挿通された外部配線１１８を接続プレート１０４に対して付勢するように、揺動部材１０３に付勢力を付与する付勢部１１５である。
【００４９】
なお、接続プレート１０４は、図６に示すように、一枚の板状の部材をＬ字型に折り曲げることによって、形成される。
【００５０】
具体的には、接続プレート１０４は、内壁１０５と隙間が存在する付勢部１１５を形成するために第１折り目１２０から折り曲げられ、外部配線接続部１１２と直交する延長部１１４を形成するために第２折り目１２１から折り曲げられる。これにより、付勢部１１５及び延長部１１４が形成される。
【００５１】
外部端子板接続部１１３の形成方法について説明する。
【００５２】
接続プレート１０４は、切れ目を入れてから２段階に折り曲げられる。具体的には、第１折り目１２０から、接続プレート１０４が外部端子板１１６と接続するために十分な長さの切れ目が入れられる。
【００５３】
そして、切れ目が入れられた部分は折り曲げられないため、外部配線接続部１１２の面と同一の面となり、この部分が外部端子板１１６に電気的に接続する外部端子板接続部１１３となる。
【００５４】
次に、揺動部材１０３について図４及び図５を用いて説明する。
【００５５】
揺動部材１０３は、断面略三角形状である。揺動部材１０３の揺動軸１０９は、側壁１０６及び１０７によって回転可能に支持される。
【００５６】
揺動部材１０３は、揺動部材１０３を揺動させるための外力が付与されるレバー部１２２と、レバー部１２２に外力が付与された場合に接続プレート１０４に当接して押圧力を付与する押圧力付与部１１０と、揺動軸１０９を中心に押圧力付与部１１０と反対側に、かつ接続プレート１０４の外部配線接続部１１２に対峙して配置される開閉部１１１と、を有する。
【００５７】
開閉部１１１は、揺動部材１０３が揺動することによって、挿通部１０１の開口を開閉可能である。
【００５８】
レバー部１２２に押圧操作されて外力が付与された場合、揺動部材１０３は揺動して、押圧力付与部１１０が付勢部１１５を押圧する。これにより、付勢部１１５は、内壁１０８側に移動する方向に移動し、付勢部１１５は押圧力付与部１１０を反内壁１０５側（揺動部材１０３が外力により揺動する方向と逆方向）に付勢する。これにより、レバー部１２２に押圧操作されて外力が付与された場合、揺動部材１０３は、開閉部１１１が外部配線接続部１１２に近づく方向に付勢されている。
【００５９】
揺動部材１０３が接続プレート１０４の付勢力に抗して押圧操作（揺動部材１０３が揺動軸１０９を中心にして図４において反時計回り方向に押圧操作）された場合について図５を用いて説明する。
【００６０】
揺動部材１０３が接続プレート１０４の付勢力に抗して押圧操作された場合に、揺動部材１０３は、開閉部１１１が接続プレート１０４から離間する方向に揺動する。これにより、開閉部１１１は挿通部１０１を開放するので、外部配線１１８が挿通部１０１に挿通可能な状態となり、挿通部１０１に挿通された外部配線１１８が開閉部１１１と外部配線接続部１１２とによって挟持可能となる。
【００６１】
また、揺動部材１０３が接続プレート１０４の付勢力に抗して押圧操作された場合に、揺動部材１０３の押圧力付与部１１０が付勢部材１０２の付勢部１１５を内壁１０５側に押圧する。これにより、付勢部１１５は、開閉部１１１が挿通部１０１を閉塞する方向に揺動部材１０３を付勢する付勢力を押圧力付与部１１０に対して付与する。
【００６２】
そして、揺動部材１０３のレバー部１２２を押圧操作しながら、外部配線１１８を挿通部１０１に挿通させ、外部配線１１８を開閉部１１１と外部配線接続部１１２との間に位置させた後、揺動部材１０３のレバー部１２２の押圧操作を解除する。
【００６３】
この場合、揺動部材１０３の押圧操作を解除しても、外部配線１１８が開閉部１１１と外部配線接続部１１２との間に位置するので、揺動部材１０３の押圧力付与部１１０が接続プレート１０４の付勢部１１５に押圧力を付与した状態を保つ。
【００６４】
したがって、揺動部材１０３のレバー部１２２の押圧操作を解除しても、付勢部１１５は、開閉部１１１を外部配線接続部１１２側に付勢するので、挿通部１０１に挿通された外部配線１１８は、接続プレート１０４の外部配線接続部１１２と開閉部１１１とによって確実に挟持される。
【００６５】
これによって、外部配線１１８は、接続プレート１０４と確実に接触して、遊技機１の振動等によって接続機構１００から外れてしまうことが防止される。
【００６６】
また、揺動部材１０３が接続プレート１０４の付勢力に抗して押圧し揺動する場合、押圧力付与部１１０が付勢部１１５を内壁１０５側に押圧する。この場合、付勢部１１５は、内壁１０５との隙間が少なくなる方向に移動するため、接続機構１００の外側（クリップ挿通部１１９）に露出していた延長部１１４は、接続機構１００内に収納され、延長部１１４はクリップ挿通部１１９に臨まなくなる。
【００６７】
したがって、揺動部材１０３が接続プレート１０４の付勢力に抗して押圧し揺動する場合、クリップ挿通部１１９に外部配線１１８が挿通されても、延長部１１４はクリップ挿通部１１９に臨まないので、延長部１１４はクリップ挿通部１１９に挿通された外部配線１１８に接触しない。
【００６８】
以上より、レバー部１２２に外力が付与されたこと、又は外部配線１１８が開閉部１１１と外部配線接続部１１２とによって挟持されたことによって、揺動部材１０３が接続プレート１０４の付勢部１１５を押圧する状態では、開閉部１１１が挿通部１０１の開口を開放し、外部配線接続部１１２は、挿通部１０１に挿通される外部配線を、付勢部１１５によって付勢される揺動部材１０３とによって、挟持可能である。また、延長部１１４は、クリップ挿通部１１９に臨まないので、クリップ挿通部１１９に挿通された外部配線１１８と接触できない。
【００６９】
次に、開閉部１１１が挿通部１０１に挿通された外部配線１１８を外部配線接続部１１２と挟持していない状態であって、かつレバー部１２２に外力が付与されてない状態、すなわち押圧力付与部１１０の付勢部１１５に対する押圧力が解除された状態について図４を用いて説明する。
【００７０】
押圧力付与部１１０の付勢部１１５に対する押圧力が解除された状態では、押圧力付与部１１０は付勢部１１５を押圧しないため、付勢部１１５は内壁１０５側に移動しない。よって、接続プレート１０４の延長部１１４の端部は、接続機構１００からクリップ挿通部１１９に露出し、クリップ挿通部１１９に臨んだ状態となる。
【００７１】
また、揺動部材１０３は揺動しない状態であるので、開閉部１１１は挿通部１０１の開口を閉塞し、挿通部１０１から外部配線１１８は挿入不可能である。また、延長部１１４はクリップ挿通部１１９に望むので、クリップ挿通部１１９に挿通された外部配線１１８に接触可能である。
【００７２】
以上より、揺動部材１０３は、接続プレート１０４の外部配線接続部１１２又は延長部１１４と外部配線１１８との接続を切り換える部材である。
【００７３】
次に、クリップ６００について図７及び図８を用いて詳細に説明する。
【００７４】
図７は、クリップ６００の斜視図である。図８は、クリップ６００によって遊技機１と外部機器が接続された状態の外部ターミナルユニット１０の縦断面図である。
【００７５】
クリップ６００は、各外部配線１１８の位置を、上段に配設される各接続機構１００の位置と対応するようにまとめて固定する第１外部配線位置固定部６０１と、各外部配線１１８の位置を、下段に配設される各接続機構１００の位置と対応するようにまとめて固定する第２外部配線位置固定部６０２と、を備える。
【００７６】
第１外部配線位置固定部６０１は、第２外部配線位置固定部６０２に対して回動可能に、ピン６０５によって連結される。第１外部配線位置固定部６０１及び第２外部配線位置固定部６０２の、外部配線１１８を固定した端部が互いに近づく方向に付勢されている。
【００７７】
さらに、クリップ６００は、第１外部配線位置固定部６０１及び第２外部配線位置固定部６０２によって各接続機構１００と対応する位置に固定された各外部配線１１８を束ねるコネクタ６０４を有する。外部機器からの外部配線１１８を束ねた外部機器側コネクタ（図示省略）がクリップ６００のコネクタ６０４に接続される。
【００７８】
第１外部配線位置固定部６０１及び第２外部配線位置固定部６０２にまとめて固定された外部配線１１８は、板状の形状をしており、端部は、内側に向かって突出する突出部１１８Ａを有する。
【００７９】
第１外部配線位置固定部６０１及び第２外部配線位置固定部６０２がクリップ挿通部１１９に挿通された場合、図８に示すように、第１外部配線位置固定部６０１及び第２外部配線位置固定部６０２によって各接続機構１００と対応する位置にまとめて固定された外部配線１１８が、各接続機構１００からクリップ挿通部１１９に臨んだ延長部１１４に、接触する。
【００８０】
これにより、各揺動部材１０３を押圧操作しながら、各外部配線１１８を各挿通部１０１に挿通させて、各接続機構１００に接続する必要はなく、クリップ６００をクリップ挿通部１１９に挿通させる操作のみで、外部端子板１１６に配置される全ての接続機構１００に外部配線１１８を一括して接続できるようになる。
【００８１】
さらに、第１外部配線位置固定部６０１及び第２外部配線位置固定部６０２は、クリップ６００が挿入される方向の端部が互いに近づく方向に付勢されているので、クリップ挿通部１１９を挿通した第１外部配線位置固定部６０１及び第２外部配線位置固定部６０２が、上段の接続機構１００及び下段の接続機構１００を確実に挟持して、外部配線１１８は延長部１１４と確実に電気的に接続される。これによって、遊技機１の振動等によって、クリップ６００が外部ターミナルユニット１０から外れてしまうことを防止できる。
【００８２】
また、クリップ６００がクリップ挿通部１１９から抜ける方向に移動しても、外部配線１１８の突出部１１８Ａが延長部１１４と接触し、クリップ６００のクリップ挿通部１１９から抜ける方向への移動を規制する。よって、遊技機１の振動等によって、クリップ６００が外部ターミナルユニット１０から外れてしまうことを防止できる。
【００８３】
次に、第２ケース２６の上側部２６Ａに形成される突出部２７について説明する。
【００８４】
突出部２７は、上段に配置された全ての接続機構１００を覆うように形成されている。これにより、外部ターミナルユニット１０の上方に配設された補給樋から遊技球が飛び出しても、飛び出した遊技球は突出部２７に衝突し、接続機構１００に衝突しなくなる。よって、飛び出した遊技球が接続機構１００に衝突することによって、遊技機１から出力される各種信号にノイズが含まれることを防止できる。
【００８５】
なお、今回開示した実施の形態は、全ての点で例示であって制限的なものではない。また、本発明の範囲は前述した発明の説明ではなくて特許請求の範囲によって示され、特許請求の範囲と均等の意味及び内容の範囲での全ての変更が含まれることが意図される。
【産業上の利用可能性】
【００８６】
以上のように、本発明は、本発明に係る遊技管理システムは、パチンコ遊技機、コイン遊技機、スロット機等の遊技機等が設置された遊技場の遊技情報を遊技者に開示する遊技管理システムに適用することができる。
【図面の簡単な説明】
【００８７】
【図１】遊技機の背面図である。
【図２】球排出ユニットの斜視図である。
【図３】外部ターミナルユニットの斜視図である。
【図４】外部配線が接続された状態における外部ターミナルユニットの縦断面図である。
【図５】外部配線が接続されない状態の外部ターミナルユニットの縦断面図である。
【図６】接続プレートの斜視図である。
【図７】クリップの斜視図である。
【図８】クリップによって遊技機と外部機器が接続される場合の外部ターミナルユニットの縦断面図である。
【符号の説明】
【００８８】
１    遊技機
２    前面枠
３    裏機構盤
４    カバー
６    機枠（外枠）
１０    外部ターミナルユニット
１１    球貯留ユニット
１２    球排出ユニット
１３    排出制御装置
１４    貯留タンク
１５    誘導樋
１６    カバー
２０    排出装置
２１    球抜装置
２２    流下切換装置
２４    第１ケース
２６    第２ケース
２７    突出部
１００    接続機構
１０１    挿通部（第１挿通部）
１０２    付勢部材
１０３    揺動部材
１０４    接続プレート
１０５    内壁
１０６    側壁
１０８    底壁
１０９    揺動軸
１１０    押圧力付与部
１１１    開閉部
１１２    外部配線接続部（第１端子）
１１３    外部端子板接続部
１１４    延長部（第２端子）
１１５    付勢部
１１６    外部端子板
１１８    外部配線
１１８Ａ    突出部
１１９    クリップ挿通部（第２挿通部）
１２０    第１折り目
１２１    第２折り目
１２２    レバー部
６００    クリップ
６０１    第１外部配線位置固定部
６０２    第２外部配線位置固定部
６０４    コネクタ
６０５    ピン
【図１】
0004834641.tif 000002
【図２】
0004834641.tif 000003
【図３】
0004834641.tif 000004
【図４】
0004834641.tif 000005
【図５】
0004834641.tif 000006
【図６】
0004834641.tif 000007
【図７】
0004834641.tif 000008
【図８】
0004834641.tif 000009